(57)【要約】  本発明によれば、特に、荒削り後及び特に焼き入れ後に特にクランクシャフトの材料除去加工のプロセスチェーンを短縮するために、第１工程として周囲旋削フライス削りと、その後の第２工程として乾式研削の組み合わせを特に提案する。【選択図】図１ａ
2014530115.tif 000002
【特許請求の範囲】
【請求項１】
回転対称及び必要に応じて非回転対称、同心及び必要に応じて偏心の周面及び隣接する側面を有する工作物、特にクランクシャフトの仕上げ加工に使用される方法であって、
前記周面の荒削り加工とその後の任意の部分的な焼き入れ後に、前記周面の微細加工は、規定切刃による前記第１の微細加工工程の直後に、乾式研削又は微細乾式研削が行なわれ、規定切刃による第１の微細加工工程で、２５μｍの精度の真円度と３０μｍの精度の直径になるように行なわれる方法。
【請求項２】
同心及び必要に応じて偏心した回転対称及び必要に応じて非回転対称の周面、及び隣接側面を有する工作物、特にクランクシャフトを仕上げるために使用される方法であって、
前記周面の微細加工が、前記周面のチップ除去荒削りとその後の任意の部分焼き入れ後に、
外フライス削り又は直交フライス削りの形態の旋削フライス削り、又は、特に一点旋削の形態の旋削と、による規定切刃による第１の微細加工工程と、
必要に応じて、乾式研削、タンジェンシャル旋削、寸法形状仕上げの荒削り工程、一点旋削による工程、又は、刃が５μｍより正確に位置決めされた旋削フライス削りによる工程と、による、微細中間工程と、
微細乾式研削、特に寸法形状仕上げの微細工程の仕上げ、又は、特に前記電極（ＰＣＭ）のパルス負荷による電気化学エッチング（ＥＣＭ）による、第２の微細加工工程と、
必要に応じて、レーザ衝撃、又は、電気化学エッチング（ＥＣＭ）による、空隙の表面を構造化するための微細完了工程と、によって行われる方法。
【請求項３】
外フライス削り又は直交フライス削りの形態の旋削フライス削りが、第１の微細加工工程として使用される、請求項１〜２のいずれか一項に記載の方法。
【請求項４】
乾式研削後に、第２の微細加工工程が、電気化学エッチング（ＥＣＭ）のための仕上げにより行なわれる、請求項１〜３のいずれか一項に記載の方法。
【請求項５】
前記第１の微細加工工程の直後の微細乾式研削のために、前記第１の微細加工工程において、真円度の精度が１５μｍ以上、直径の精度が１５μｍ以上になるように機械加工が行われ、微細乾式研削後にバンド仕上げが行なわれない、請求項１〜４のいずれか一項に記載の方法。
【請求項６】
微細完成工程が、レーザ衝撃によって行われ、かつ／又は前記加工物への空隙の導入が、ＥＣＭによって行われる、請求項１〜５のいずれか一項に記載の方法。
【請求項７】
機械加工が、例えば内燃機関で使用されるときに前記主負荷が適用される前記軸受の前記周面部分だけに、ＥＣＭかつ／又はバンド仕上げによって行われる、請求項１〜６のいずれか一項に記載の方法。
【請求項８】
前記第１の微細加工工程が、規定切刃によって行われ、乾式研削及び／又は微細乾式研削及び／又は仕上げが、同一機械で、前記工作物の同一締付け工程で行われる、請求項１〜７のいずれか一項に記載の方法。
【請求項９】
前記第１の微細加工工程の外フライス削り又は直交フライス削りによる乾式研削及び／又は微細乾式研削及び／又は旋削フライス削りが、前記工作物の様々な機械加工位置で同時に行われる、請求項１〜８のいずれか一項に記載の方法。
【請求項１０】
前記第１の微細機械加工工程として外フライス削りが実行されるときの前記ディスクカッターの直径に少なくとも対応する、前記乾式研削または微細乾式研削のための直径が選択され、または、最大でも２０％より大きい研削ディスクの直径が選択される、請求項１から９のいずれか一項に記載の方法。
【請求項１１】
前記研磨ディスクの速度及び／又は切削速度が、ディスクカッターの値の最大３倍、より好ましくは最大２倍であり、ディスクカッターと研削ディスクに同一形状の支持体が使用される、請求項１〜１０のいずれか一項に記載の方法。
【請求項１２】
前記第１の微細加工工程が、
一点旋削によって主軸受（ＨＬ）を機械加工することと、
周面フライス削りの形態の旋削フライス削りによってリフト軸受又はロッド軸受（ＰＬ）を機械加工する工程とを含み、
前記旋削フライス削りが、１５０〜４００ｍ／分の切削速度を使用し、かつ／又は機械加工が、仕上げ又はＥＣＭが行われるときに、真円度が１０μｍ以上の精度、直径が１０μｍの精度になるまで行われ、
一点旋削は、２５０〜４００ｍ／分の切削速度を使用し、かつ／又は機械加工は、真円度が少なくとも１０μｍ以上の精度、直径が１０μｍ以上の精度になるまで行われる、請求項１〜１１のいずれか一項に記載の方法。
【請求項１３】
前記第２の微細加工工程が、電気化学エッチング（ＥＣＭ）の場合に、電極が、その有効面上に規定の分布の突起を有し、前記突起は、前記工作物表面に空隙を導入するために、最大１０μｍ、好ましくは最大６μｍ、より好ましくは最大２μｍの高さを有する、請求項１〜１２のいずれか一項に記載の方法。
【請求項１４】
複数工程仕上げが前記最終仕上げ工程後のレーザ衝撃を含む、請求項１〜１３のいずれか一項に記載の方法。
【請求項１５】
直交フライス削りが、円周に沿って不均等に分散されている１〜１０個の切刃、特に４〜６個の切刃を備えたカッターを使用する、請求項１〜１４のいずれか一個に記載の方法。
【請求項１６】
フライス削りが、例えばウェッジシステムによって前記ツールのベース要素に対して５μｍ以上の微調整を容易にする切刃付きツールを使用する、請求項１〜１５のいずれか一項に記載の方法。
【請求項１７】
直交フライス削りが、前記係合カッターを、Ｙ方向に、その直径の少なくとも２０％、好ましくは少なくとも５０％、特に最大６０％前進させることを含み、前記工作物が、その期間中に少なくとも５回転、好ましくは少なくとも１０回転、より好ましくは少なくとも２０回転する、請求項１〜１６のいずれか一項に記載の方法。
【請求項１８】
直交フライス削りが、前記工作物の速度の少なくとも８０倍、より好ましくは少なくとも１００倍、より好ましくは少なくとも１３０倍の前記直交カッターの速度で行なわれる、請求項１〜１７のいずれか一項に記載の方法。
【請求項１９】
前記フライスカッターの切刃が、０．２μｍ〜０．５μｍの粗粒による微小粒度硬質合金から作成された、請求項１〜１８のいずれか一項に記載の方法。
【請求項２０】
電気化学エッチング（ＥＣＭ）が、最大３０μｍ、好ましくは２０μｍのみ、より好ましくは１０μｍのみ、かつ特に少なくとも５μｍの材料除去を含む、請求項１〜１９のいずれか一項に記載の方法。
【請求項２１】
第１の微細加工工程で、リフト軸受とロッド軸受が、同一締め付け工程、特に先に行われる粗機械加工と同じ締め付け工程で機械加工され、特に前記クランクシャフトが前記フランジ及びピニオンで締付けチャックによって支持されている、請求項１〜２０のいずれか一項に記載の方法。
【請求項２２】
前記第２の微細加工工程で、前記クランクシャフトがそれぞれ、第１の工程で既に微細加工された軸受に垂直支持によって支持されており、
前記垂直支持が、機械加工される前記軸受のすぐ隣りにある主軸受で行なわれ、
最終微細加工工程で、前記機械加工された軸受に形成された前記垂直支持の刻印が除去され、前記支持が、常に、この最終工程で前進方向に側面で提供される、請求項１〜２１のいずれか一項に記載の方法。
【請求項２３】
前記第１の微細加工工程で、中心軸受とリフト軸受に加えて、前記フランジと前記ピニオンも機械加工され、前記クランクシャフトが、機械加工位置に近い端で、特に反対側で後退した締付けチャックの芯出し先端によって支持され、他の側で締付けチャック内に支持された、請求項１〜２２のいずれか一項に記載の方法。
【請求項２４】
回転対称及び必要に応じて非回転対称、同心及び必要に応じて偏心の周面及び隣接する側面を有する工作物、特にクランクシャフトを仕上げるために使用される旋盤であって、
機械ベッド（１１）と、
締付けチャック（１３）を備えた主軸台（１２）と、
締付けチャック（１３）を有する反対の主軸台（１４）と、
制御されたＣ軸と、
少なくとも１つの垂直支持体と、
ディスクカッター又は直交カッターを備え、前記直交カッターがＸ軸に加えてＹ軸を有する旋削ユニット又はフライス削りユニットと、
研磨ユニットと、
必要に応じて、仕上げユニット及び／又はＣ軸のまわりに回転する研磨ディスク（９）とを有する旋盤。
【請求項２５】
前記旋盤が、前記工作物の周面にインパクトを与えるレーザユニットを含み、及び／又は、
アクティブ化及び非アクティブ化可能な測定ユニット（２２）とを有する、請求項２４に記載の旋盤。
【発明の詳細な説明】
【技術分野】
【０００１】
本発明は、回転対称及び非回転対称構成要素、特にクランクシャフト及び大量生産品に関する。本発明は特に、更なる材料除去なしにクランクシャフトをエンジン内に取り付けることができる「使用状態」に、クランクシャフトの（クランクピン軸受及びジャーナル軸受の）軸受面を機械加工するための方法及び装置に関する。
【０００２】
軸受面は、包絡面、したがって軸受の幅と、いわゆるトランサム面、例えば軸支持に使用される軸受幅に隣接した面である。
【背景技術】
【０００３】
クランクシャフト、特に多数のシリンダを有する自動車エンジン用のクランクシャフトは、機械加工の際に不安定であり、したがって加工し難い工作物であることが知られている。完成したクランクシャフトの寸法適合性の決定は、主に、軸方向の軸受幅に加えて、以下のパラメータを評価することにより提供される。
【０００４】
−直径偏移が、軸受ピニオンの所定の公称径からの最大偏移と等しい。
−真円が、外側及び内側包絡円の距離によって決まる軸受ピンの円基準形状からの巨視的偏移と等しい。
−偏心が、回転軸受の偏心及び／又は理想的円形状からの軸受の形状偏差によって生じる回転工作物の半径寸法偏移と等しい。
−個々の粗さによって表わされる粗さＲｚ＝軸受の表面の微小粗さを表す計算値。
−支持部分＝接触反対面と接触し更にクランクピン軸受のための微視的表面構造の支持面部分。
−ストローク偏移＝公称ストロークからの実ストロークの寸法偏移（クランクジャーナルの実中心からクランクピンの実中心までの距離）。
−角度偏移＝ジャーナル軸に対するクランクピンの実角度位置のその公称角度位置からの偏移。また、ストロークに対して円周方向に提供された角度又は長手方向寸法として指定された残りのクランクピンの角度位置に対する偏移。
【０００５】
これらのパラメータの所定公差の維持は、利用できる機械加工法と、また工作物と加工力の不安定さによって制限される。また、方法の効率と経済性は、実際の用途、特にサイクルタイムと生産コストが極めて重要な大量生産にはきわめて重要なものであるが、単一部品又は試作品は、そのような制限を受けない。
【０００６】
典型的には、鋳物又は鍛造クランクシャフトの軸受からの材料除去は、３つの材料除去機械加工工程で行われている。
【０００７】
工程１。荒削り
規定切刃によるチップ除去機械加工
旋削、回転−ブローチ加工、回転−回転−ブローチ加工、内回しフライス削りと外回しフライス削り、直交フライス削り（特に、高速フライス削りとして行われる）又はこれらの方法の組み合わせが使用される。除去される余剰材料は、数ミリメートルの範囲である。
【０００８】
工程２。微細加工
工作物の事前焼き入れ後の、特に堅くて重厚な研削ツールによる湿式研削。研削ツールは、例えば典型的には機械加工されるクランクシャフトの回転軸と平行な回転軸で回転する研磨ディスクである。除去される余剰材料は、１０分の数ｍｍの範囲である。
【０００９】
余剰寸法が大きいときには、複数工程、例えば予備研磨と仕上研磨による２工程で実行される。
【００１０】
工程３：主表面構造形成：
回転軸受の外周に当てられた一般に振動研削ツール（研磨バンド又は研磨石）による仕上げ。除去される余剰材料は、典型的には１／１００ｍｍの範囲、更にはμｍ程度である。
【００１１】
この処理は、クランクシャフトの材料（鋼又は鋳鉄）により差別化され、特に、高負荷構成要素に使用されることが好ましい鋼クランクシャフトは、第１のチップ除去加工工程後に軸受の表面が焼き入れされる。これにより、研磨と仕上げによって補償されなければならないクランクシャフトの反りが回復される。鋳鉄クランクシャフトの焼き入れは、現在、典型的には省略されており、より高い硬さ（例えば、ＧＧＧ  ６０又は７０）を有し強度値が改善された鋳込材料を使用することによって完全に回避することができる。
【００１２】
クランクシャフトの機械加工のコストを削減するため、軸受の機械加工を３つの異なる機械加工工程から２つの異なる機械加工工程に減らすことが望ましい。
【００１３】
後で微細加工しか必要ないほど十分な精度の成形（典型的には、鍛造）を提供することによって荒削り工程を省略することは、これまで少なくとも連続生産では成功しなかった。少なくともこれは、特に、研削によって提供される材料除去が、これまで行なわれてきた研削工程の材料除去より多くなるという効果を有することになる。
【００１４】
しかしながら、湿式研削により材料を除去する欠点は、次の通りである。−追加の冷却潤滑剤によって生じる研磨かすが破棄し難い。−冷却潤滑剤に含まれる油のため爆発の危険がある（例えば、ＣＢＮ研磨中）。−大量のエネルギーを必要とする高圧噴霧によって研磨ディスクの表面から研削屑を除去するために更に冷却潤滑剤が使用されるので、使用される冷却潤滑剤の量が、チップ除去機械加工法よりも多い。−以上の全てにも増して、工作物を過熱させる危険がきわめて高い。
【００１５】
過去において、部分的に焼き入れした工作物、したがって特に焼き入れ後の機械加工で、複雑さ、投資額、機械加工時間などを最小にする試みが行われてきた。
【００１６】
個々の寸法パラメータに対する規定の移行条件を予め決めながら、ＤＥ１９７  １４６  ６７７  Ａ１によって提案されたように湿式研削をなくし、チップ除去加工から、例えば仕上げに直接移行する試みが行われた。
【００１７】
しかしながら、また、ＥＰ  ２  ３３８  ６２５  Ａ１は、湿式研削の工程に置き換わる規定切刃による特定の微細加工を提案しているが、後で必要に応じて、形状と表面を改善しないだけでなく寸法精度もほとんど改善しない仕上げが提供される。
【００１８】
しかしながら、従来の最適化の試みは、選択肢、特に規定された刃による方法、規定されてない刃による方法、及び刃のない方法の新しい機械加工方法の可能な組み合わせを十分に考慮しておらず、一方、これらの方法は、硬質機械加工用と、したがって焼き入れ工作物表面用に様々な形で提供され、したがって焼き入れ後に工作物で使用することができる。
【００１９】
旋削フライス削り、つまり、回転工作物のフライス削りにおいて、特に微調整可能（１μｍ以上の精度）な切削板が外フライス削りに使用され、円盤形で周囲にギザギザのついたフライス削りビットによるフライス削りにおいて、切削板は、例えばフライス削りビットの基本要素のウェッジシステム上に配列され、切削板は、フライス削りビット上の２０〜５０本の歯の場合に工作物に優れた真円度と直径精度を達成できる精度で調整可能である。
【００２０】
一方、直交フライス削りビットの場合は、許容可能な材料除去性能が、表面品質を過度に悪影響を及ぼすことなく表面の１〜１０個の切刃を使用して達成される。その理由は、切削歯を互いに対して完全に調整又は研削できないからである。このことは、切刃が例えばきわめて細かい粒構造で最も細かい粒度硬質材料から作成される外フライス削りビットにも当てはまる。これは、特に、切刃の剛性と弾性の事前の相互排他性を克服するのに役立つ。
【００２１】
軸受位置を長手方向に微小旋削する際、これまで以下のような問題があった。左側及び右側角部分を旋削するために様々なエルボを備えた旋削ツールが必要とされて、典型的には、２つの機械加工位置の遷移部分に１０〜３０マイクロメートルの避けられない段が形成されてしまっていた。この段差は、仕上げツールの自動案内支持が比較的不正確なので、段差を除去するために何度も材料除去を行わなければならず、仕上げに長時間かかるので、仕上げだけでは効率的に除去できない。
【００２２】
軸受を、Ｘ方向に送り、Ｚ方向に移動し、更にＢ軸のまわりに回転できる一点旋削ツールによって機械加工することができ、それにより、肩部を作成せずに軸受を旋削することができる。
【００２３】
一方、切刃が工作物の回転軸に対して斜めに向けられ、接線方向又はアーチ形に沿って動かされるタンジェンシャル旋削は、中心軸受だけでなくロッド軸受用にも連続生産で使用することができる。作成面に回転溝がないことが主目的でないときは、高い表面品質が高効率で作成される。
【００２４】
特に研磨ディスク又は研削砥石を使用し冷却液と潤滑剤を除外する乾式研削は、ツールの冷却と洗浄が圧縮空気のみによって行なわれるときでも、特に１０〜３０μｍ、特に例えば２００μｍ〜５０μｍの研削砥石の粗粒子によって、きわめて小さい材料除去を達成する。
【００２５】
仕上げの際、寸法形状仕上げと呼ばれる多工程が使用され、例えば２００μｍ〜５０μｍの粗粒子による第１の工程は、最大３０μｍの大きい材料除去を行い、測定後に終了するか継続されることがある。
【００２６】
例えば５０μｍ〜１０μｍの微粒子による仕上げの第２の工程（形状の仕上げと測定）と第３の工程（表面構造化）は、５〜１５μｍの範囲の材料除去を行い、時間ベースで実行され、最終的には表面構造化に使用される。
【００２７】
更に、バリ取りと特殊な表面倣い削り、特に微細表面構造のピークの除去に使用される表面の電気化学エッチングがある。
【００２８】
ピークを除去する構造化に妥当であるだけでなく、谷を油溜めとして開けたままにすることも重要であることは周知である。これが、仕上げのような既知の方法で十分に達成できない場合、例えばレーザービーム処理を含む既知の方法を積極的に含めることができる。
【００２９】
顧客側の精度要件は、典型的には真円度が５μｍで直径精度がＩＳＯ品質レベル６、したがって、例えば自動車クランクシャフトは約１６μｍ、同心度に関しては０．０５〜０．１ｍｍと高まってきていることは確かである。
【発明の概要】
【課題を解決するための手段】
【００３０】
ＩＩＩ．発明の詳細な説明
ａ）技術的目的
したがって、本発明の目的は、特に焼き入れ後の利便性を提供する前述の工作物の微細加工を減らし、特に工程工程の数を減らすことである。
【００３１】
ｂ）解決策
目的は、請求項１、２及び２４の特徴によって達成される。有利な実施形態は、従属クレームから得ることができる。
【００３２】
したがって、本発明の目的は、０．１ｍｍの精度を達成するチップ除去粗削りと追加の反りを生じる可能性のあるその後に行う焼き入れ後に、前述の工作物と特にその軸受を機械加工することである。
【００３３】
後述する処理工程は、典型的には、同じ機械加工位置に関する。
【００３４】
本発明によれば、荒削り後に第１の仕上げ工程が必要とされ、第１の仕上げ工程が、寸法精度を達成するために使用され、第２の仕上げ工程が、それぞれの表面品質を達成するために使用されると考えられる。
【００３５】
第１の微細加工工程は、規定切刃による削り取りである。これは、機械加工中に工作物に対して平行に回転する外フライス削りビット、又は回転軸が工作物の回転軸に対して垂直又は斜めに向けられた直交フライス削りビットによる旋削フライス削りでよいが、旋削（特に、全て約１０μｍの公差に機械加工することができる一点旋削の形）は、本発明によるプロセスチェーンに必ず利用されるとは限らない。
【００３６】
第２の微細加工工程に関して、特に非規定切刃による材料除去（例えば、微細乾式研削又は仕上げ）、したがって特に寸法形状仕上げの微細工程が、使用可能であり、又は電極のパルス負荷を使用するか使用しない電気化学的硬化も使用可能である。
【００３７】
理想的には、荒削り後のプロセスチェーンは、第１と第２の微細加工工程だけを含む。
【００３８】
必要に応じて、微細中間工程が間に実行される（請求項２による）。例えば最大１５０μｍの湿式研削よりもきわめて少量の材料しか除去しない乾式研削、又はタンジェンシャル旋削が使用可能であり、したがって規定切刃による方法、又は寸法形状仕上げの荒削り工程、又は一点旋削は、第１の微細加工工程にまだ選択されていない場合には、別の選択肢となる。
【００３９】
表面を構造化するために第２の微細仕上げ工程後に最終微細仕上げ工程が必要かどうかは、顧客要求に大きく依存する。
【００４０】
このタイプの微細完成工程（特にＥＣＭ又はバンド仕上げによる）は、例えばクランクシャフトの軸受の事例のように、荷重が他の部分により高い部分があるときに工作物の特定の周辺部分だけに実行できるので好ましい。
【００４１】
これは、特に、潤滑と摺動性能を改善するため、工作物の表面に油溜めとして空洞を導入するために使用することができる。
【００４２】
この目的のため、特に制御されたレーザ衝撃は、第２の微細加工工程の加工方法としてまだ選択されていない場合には、特に最終仕上げ工程後又は特に最終加工工程全体として、又は電気化学エッチング後に、空隙を作成するために使用されてもよい。
【００４３】
したがって、この場合、工作物に空隙を彫るためのそれぞれの突起（例えば、高さ最大１０μｍ、好ましくは最大６μｍ、より好ましくは最大２μｍ）が、電気化学的エッチング用の電極に既に加工されており、空隙が導入され、微小表面構造のピークが、１工程で切り取られる。
【００４４】
こうして、従来のプロセスチェーンよりも優れ、また高い顧客要求にもかかわらず、プロセスチェーンが短縮される。これは、特に湿式研削が防止され、更に特定の組み合わせにより、幾つかの工程工程を同じ機械で同じ締め付け工程で実行できるという利点を有する。
【００４５】
したがって、電気化学エッチングに加えて第１と第２の微細処理工程の機械加工法を、１台の機械でまとめて実施することができ、これにより工作物を１つの締め付け工程で機械加工することができる。
【００４６】
更に、この微細中間工程のための機械加工方法の実際の選択に関係なく、追加の微細中間工程を含めることができる。
【００４７】
更に、工作物表面に衝撃を与えるためのレーザユニットは、原理的には旋盤である機械で、したがって、加工中に駆動可能であり回転位置（Ｃ軸）に対して設定された工作物に使用されてもよい。
【００４８】
本発明によれば、規定切刃によって行なわれる第１の微細加工工程の直後に、乾式研削又は微細乾式研削が行なわれなければならず、これは、好ましくは、規定切刃による第１の微細加工工程と同じ機械及び締付け工程で行なわれてもよい。
【００４９】
したがって、規定切刃による機械加工は、真円度が２５μｍ、直径が３０μｍの精度まで行われることが好ましく、したがってこの機械加工工程では、最大可能精度までは試みられない。
【００５０】
旋削フライス削りは、外フライス削り又は直交フライス削りとして実行される第１の微細加工工程として使用されることが好ましい。
【００５１】
特に好ましい方法は、第１の微細加工工程を使用し、
−主軸受が、一点旋削によって機械加工され、したがって、特に、切削速度が２５０〜４００ｍ／分でかつ／又は真円度と直径の精度が最大１０μｍで機械加工される。
−リフト軸受は、特に円周フライス削り（circumferential milling）の形態の旋削フライス削りによって機械加工され、旋削フライス削りは、１５０〜４００ｍ／分の切削速度を使用し、かつ／又は機械加工は、仕上げ又はＥＣＭが行われるとき、真円度と直径が１０μｍ以上の精度で行われる。
【００５２】
乾式研削又は微細乾式研削は、特に、機械加工中に旋削軸に平行な回転軸回りに回転する研磨ディスクによって行なわれる。したがって、きわめて類似又は更には同一の研磨ディスクとディスクカッター用の駆動ユニットを使用することができる。
【００５３】
微細乾式研削が、第１の微細処理工程の直後に行なわれるとき、機械加工は、第１の微細加工工程で、真円度が１５μｍ以上、直径が１５μｍ以上の精度まで行われる。研磨ディスクの７０μｍ〜１００μｍ（粗粒子をふるいにかけるときの公称メッシュ幅）の微粒子によってまだ除去できる余剰寸法があり、したがって必要とされる最終精度により、仕上げ工程として微細乾式研削を残すことができ、したがって、特にバンド仕上げにかけることはできないが、表面構造化（例えば、レーザ衝撃）又は工作物内に空隙の導入又は電気化学エッチングによる表面ピークの平坦化のための最大１つの微細仕上げ工程を行うことができる。
【００５４】
別の選択肢は、研磨ディスクの粗粒子（例えば、粒形が１４０μｍ〜２００μｍ（粗粒子をふるいにかける公称メッシュ幅））による乾式研削を実行して、より大きい材料除去を行い、次に仕上げ又は電気化学的エッチングを第２の微細加工工程として行なうことである。
【００５５】
したがって、この場合、規定切刃による第１の微細加工工程は、真円度が２５μｍ、直径が３０μｍの精度になるまでしか行われず、その理由は、そのようなより過剰な寸法は、より粗い粒子を使用することにより乾式研削によって除去できるからである。
【００５６】
微細乾式研削の際、またより粗い乾式研削の際、加工位置又はその近くに、例えば圧縮空気による研磨装置の乾式冷却及び洗浄が提供される。
【００５７】
本事例では、特定の選択された処理の組み合わせに関係なく、電気化学エッチングだけが湿式加工なので、他の全ての加工工程を、工作物に、同一機械で、したがって同一締付け工程の個々の加工位置で行なうことができる。更に、これにより、様々な処理工程で異なる機械加工位置の同時機械加工が容易になる。
【００５８】
したがって、処理の投資が減るだけでなく、特に、機械加工を前述の精度で行うときに工作物を締め付け及び再締め付けするときに必然的に生じる追加の寸法不正確さの発生が回避される。
【００５９】
外フライス削りを乾式研削と組み合わせる別の利点は、両方のツールが、それらの基本円板形状とＺ方向のまわりの回転により、同じように構成されるだけでなく、類似更には同一のツール支持体で使用できることである。
【００６０】
したがって、典型的には研磨ディスクの切削速度がディスクカッターより高速であることを除き、この利点を使用することができる。したがって、例えば、研磨ディスクの速度及び／又は切削速度をディスクカッターの値の最大３倍、好ましくはわずか２倍に設定することができ、これにより、部分的又は完全に同じ形状の支持体の使用が容易になる。
【００６１】
特に、この目的のため、研磨ディスクの直径をディスクカッターの直径とほぼ同じ、最大でも約２０％大きく定義することが有効である。
【００６２】
第１の微細加工工程での精度を更に改善するために、例えばウェッジシステムによってツールの基本要素に対して切刃を微調整することができるツールが使用され、この微調整は、１０μｍ以下の範囲の精度を達成するために精度が５μｍを超える。
【００６３】
更に、直交カッターを使用するとき、面に１〜１０個の切刃、特に４〜６個の切刃を有するカッターが使用されるが、切刃は、共振を引き起こさないように周囲に不均等に分散されてもよい。
【００６４】
更に、直交カッターは、処理される包絡面と接触して移動され、典型的には、接触中に工作物の回転軸に対してＹ方向の直交カッターの面の外周で始まり、直交カッターの直径の少なくとも２０％、より好ましくは少なくとも５０％、特に最大６０％まで移動され、したがって、連続実行される軸オフセットによって軸受の全長部分が十分な精度で機械加工されるので、直交カッターの中心で減少するか切刃がないために全く存在しない切削性能と切削方向の問題が解決される。
【００６５】
この目的のため、工作物は、直交カッターの軸オフセットの実行中に少なくとも５回回転し、工作物は、好ましくは少なくとも１０回、更に好ましくは少なくとも２０回回転する。
【００６６】
したがって、直交カッターの速度は、工作物の速度の少なくとも８０倍、より好ましくは１００倍、又は更に好ましくは１３０倍でなければならない。
【００６７】
焼き入れ面を加工するとき、規定切刃による削り取りツールの切刃は、典型的には、ＣＢＭ又は硬質合金から作成される。しかしながら、硬質合金は、０．２〜０．５μｍの粗粒子で、したがって十分な硬さを有するが多少弾性のある粗粒子で作成されることが好ましい。
【００６８】
第２の微細処理工程で電気化学エッチングが選択された場合は、これにより、最大３０μｍ、好ましくは２０μｍだけ、ただし少なくとも２μｍの材料除去が行なわれ、その理由は、これにより、第２の微細加工工程の一般的な目標である少なくとも５０％でかつ８５％を超えない、支持体部分に対して微視的表面構造の十分な平滑化が達成されるからである。
【００６９】
第２の微細加工工程、特に電気化学エッチングは、リフト軸受の周面部分、したがって点火時に常に同一の周面部分であり連結ロッドの圧力がかかるクランクシャフトのロッド軸受だけを加工するので、生産工程を更に加速させることができる。
【００７０】
特に、第２の微細加工工程では、ロッド軸受のそれぞれの周囲半分だけが処理される。
【００７１】
このように、第１の微細加工工程を使用して、リフト軸受を機械加工し、したがって同じ締め付け工程、特に先行する粗機械加工と同じ締め付け工程でロッド軸受を機械加工し、これは、特に、焼き入れが間で行われないとき、又は同じ機械の同じ締め付け工程で誘導焼き入れた行われるときに対象となる。
【００７２】
特に第２の微細加工工程において、これは、第１の微細加工工程で確実に提供されてもよく、クランクシャフトは、垂直支持体によって、したがって第１の工程で既に微細加工された軸受に、特に加工される軸受のすぐ隣りに支持される。
【００７３】
これにより、支持された軸受の周面に静止支持体の刻印が生成され、刻印は、寸法と表面品質に対して必ずしも関連するものではないが、刻印は、最終微細加工工程で除去されるので、光学的理由のために仕上げられるべきであり、これは、隣接静止支持体による支持が、常に最終微細加工工程の前進方向の側にあるので容易になる。
【００７４】
第１の微細加工工程で、フランジとピニオンは、中心に位置決めピンを有するチャックとそれに対して後退した顎部とによってクランクシャフトを支持しながら処理されることが好ましいが、クランクシャフトは、一方の側がチャックによって支持され、別の側が位置決めピンによって支持される。
【００７５】
ピニオンは、典型的には、微細加工工程にかけられないが、第２の微細加工工程でフランジに空回り面を作成することが試みられる。
【００７６】
本発明による方法を実行できるようにするため、機械ベッドに加えてＣ軸、それぞれ締付けチャックを備えた主軸台及び反対側主軸台、及び一方の側の垂直支持体を備えた使用旋盤が、ディスクカッター又は直交カッターを備えた旋削ユニット又はフライス削りユニットを必要とし、直交カッターは、Ｘ軸の他にＹ軸を有し、旋盤は、Ｃ軸に平行に回転する仕上げユニット又は研磨ディスクを有する。
【００７７】
有利な実施形態では、旋盤は、更に、工作物の周面に衝撃を与えるためのレーザユニット、並びに／又は真円度及び／若しくは直径の測定装置とを必要とする。
【００７８】
ｃ）実施形態
本発明の実施形態は、以下で図面を参照してより詳しく説明される。
【図面の簡単な説明】
【００７９】
［図１ａ］典型的なクランクシャフトの側面図と個別軸受の拡大図を示す。
［図１ｂ］典型的なクランクシャフトの側面図と個別軸受の拡大図を示す。
［図２ａ］支持体が旋削軸の上と下に配置された旋盤を示す図である。
［図２ｂ］支持体が旋削軸の上と下に配置された旋盤を示す図である。
［図３］支持体が旋削軸の上だけに配置された旋盤の図である。
［図４ａ］工作物の様々な処理状況を示す模式図である。
［図４ｂ］工作物の様々な処理状況を示す模式図である。
【図５】軸受の断面の寸法誤差を示す図である。
【図６】工作物表面の微細表面構造を示す図である。
【発明を実施するための形態】
【００８０】
図１ａは、４気筒内燃機関、つまり、隣り合って配置された４つの偏心リフト又はロッド軸受ＰＬ１〜ＰＬ４と合計５つの主軸受ＨＬ１〜ＨＬ５を有する典型的なクランクシャフト１の側面図を示す。主軸受は、クランクシャフト１が、詳細に示されていない旋盤内に留められた後続回転軸（クランクシャフトのＺ軸）上に配置される。また、この回転軸は、図１の説明図では回転軸２とも呼ばれる。クランクシャフト１の一端のフランジ４と他端のピニオン３とにある掴み部６による半径方向の締め付けによって留められる。
【００８１】
本発明は、特に、軸受の包絡面の機械加工に関し、したがって主軸受とロッド軸受は、ミラー面と呼ばれる隣接側面を有する。
【００８２】
クランクシャフト１の上と下に、次のような機械加工ツールを左上から右に例示的に示す。
【００８３】
一方の側には、典型的には旋盤の三寸法座標系でＺ軸として定義された回転軸２に垂直な回転軸５’を有するミル５が示されている。
【００８４】
−エンドミルの表面には、エンドミル５の周面に延在する１つ又は複数（好ましくは２〜８個）の切刃７が配置されている。軸受は、回転軸受の包絡面で回転エンドミル５と接触することによって、チップ除去され、機械加工される。
【００８５】
切刃７の隣りには円盤カッター８が配置されている。円盤カッター８の回転軸８’はＺ軸と平行であり、その周面には多数の切刃７’が配置されている。切刃７’は、周面の幅全体に沿って、円盤カッター８の円盤形のベース要素の外縁部分に径方向に延在している。
【００８６】
例えば直径７００ｍｍの円盤カッター８には調整しなければならない切刃又は切削板２３が多数（典型的には８０個）あるので、全ての切削板で整合した半径方向と軸方向の正確な調整は、きわめて時間がかかる。
【００８７】
その右隣りには、Ｚ方向に定められた回転軸９’回りに回転する研磨ディスク９が示され、研磨ディスク９は、包絡部分との隣接面部分が研磨砂（典型的には、硬質合金、セラミック又はＣＢＮ）で覆われ、典型的には円盤カッター８と同じようにＺ方向に区分された軸方向拡張部を有し、この軸方向拡張部は、それぞれの軸受に対応する。
【００８８】
クランクシャフトの下には、一点旋削ツールとして構成された旋削ツール１０が示され、旋削ツールは、正確にＸ方向ではなく、軸受の方向にわずかな傾斜角で延在し、軸受と接触して、軸受の角部の１つを旋削することができる。
【００８９】
包絡面を有する両方の角部を、同じ旋削ツール１０で、停止することなく、肩部を形成することなく、旋削するために、この旋削ツール１０は、図１ｂに詳細に示されたように、Ｘ方向に動くだけなくＢ軸のまわりに旋回可能であり、特に軸受内で動くのに十分に細長い。
【００９０】
主軸受軸のまわりに回転するクランクシャフトのロッド軸受ＰＬ１〜ＰＬ４のうちの１つを機械加工するとき、係合ツールは、更に、Ｘ方向の送り運動を行わなければならず、エンドミル７と切削工具１０の場合は、旋回するロッド軸受に従うことができるように、Ｙ方向の追加の送り運動が必要であることが分かる。
【００９１】
図２ａと図２ｂは、本発明の方法によるクランクシャフトのような工作物の機械加工に使用できる旋盤の一実施形態をＺ方向の正面図で示す。
【００９２】
図２ｂに示されたように、主軸台１２は、マシンベッド１１の垂直前面の上側部分に配置される。主軸台１２は、回転駆動することができ掴み具６を備えた締付けチャック１３を支持する。反対主軸台１４は、主軸台１２の反対側に配置され、反対主軸台１４はやはり締付けチャック１３を支持し、それにより、工作物（例えば、クランクシャフト１）をその両端で回転軸２（Ｚ方向に延在する）上に、それぞれの締付けチャック１３内に収容し回転駆動させることができる。
【００９３】
ベッド１１の前側には、回転軸より下でベッド１１の平坦上面に、それぞれＺ方向に対で延在する長手方向ガイド１５が配置され、ツールユニットが、長手方向ガイド上で移動可能であり、この場合、下側の長手方向ガイド上に１つのツールユニットがあり、上側の長手方向ガイド１５上に２つのツールユニットがある。
【００９４】
各ツールユニットは、長手方向ガイド１５に沿って移動可能なＺスライド１６と、Ｚスライド上に延在しＸ方向に移動可能なＸスライド１７とからなり、ツール又はツールユニットは、Ｘスライドに取り付けられる。
【００９５】
回転軸２の下のユニットには、旋削ツール１０が挿入されスターリボルバとして構成され、Ｚ方向に延在する枢動軸を有する典型的なツールリボルバ１８がある。
【００９６】
左上ユニットは、一点構成の個別旋削ツール１０である。個別旋削ツール１０は、ほぼＸ方向に延在するＢ軸のまわりに枢動できかつ枢動によってＸ方向にも動くことができる。
【００９７】
右上ユニットは、工作物の周面を滑らかにできる仕上げツール１９である。
【００９８】
図２ｂでは、この仕上げツール１９が、Ｚ方向から示されている。このツールが、取り付けられる工作物の凸状周面（例えば、半円として構成された）に応じた空洞を有する仕上げ形状部品２０と、形状部品２０の接触面の上に延在し、それぞれの貯蔵用ロールに端が巻き付けられた仕上げバンド２１とを有することは明らかである。
【００９９】
また、図２ｂでは、一点旋削ツール１０が、隣りに示されている。
【０１００】
図３は、旋削フライス盤を示し、この場合も、図２の旋盤と同じように、クランクシャフト１が、工作物として、互い向かい合わされた２つの締付けチャックの間に、Ｃ軸として構成された回転軸２のまわりに回転可能に、主軸台と反対主軸台１４とによって支持される。
【０１０１】
この場合、長手方向ガイド１５は、マシンベッド１１の回転軸２の上にのみ配置され、Ｚスライド１６とＸスライド１７が上に延在する２つのツールユニットが提供される。
【０１０２】
この場合、右側Ｘスライド１７は、図１に示されたように回転軸と平行に回転する円盤カッター８を支持し、左側Ｚスライド１７は、やはりＺ軸と平行な軸のまわりに回転する研磨ディスク９を支持する。
【０１０３】
更に、右側Ｘスライド１７には測定ユニット２２が提供され、測定ユニットは、旋回によってアクティブ化／非アクティブ化（de-active）され、Ｘ方向に近づく測定プローブが周面と接触するので、工作物を解放したり締め付け直したりすることなく、周面で、トランサム面の直径、真円度、長手方向位置を測定することができる。
【０１０４】
図４ａは、クランクシャフトに対してではなくリフト軸受又はロッド軸受の周面の周辺工作物に対する周面の一部分を、タンジェンシャル旋削によって加工する工程を示す。
【０１０５】
回転工作物の回転軸に対して斜めに配置された直線又は凹状切刃が、接線移動方向２４に移動して工作物の周面と接触し、接線直線方向の真っ直ぐな縁と、回転軸２に平行に延在する旋回軸のまわりの接線円弧方向の凸状縁を作成する。
【０１０６】
したがって、きわめて小さい過剰寸法しか除去できないが、機械加工結果は、きわめて正確であり、優れた面を有する。
【０１０７】
図４ｃでは、電気化学エッチングが示される。
【０１０８】
これにより、作成される工作物の周囲の形状に有利に適合され、それぞれ空洞を有する接触面を有するＥＭＣ電極２５が、工作物の方に近づけられ、一方の側の工作物と他方の側の電極２５との間に電流又は電圧が印加され、更に、それら両方の間に食塩水又は酸が導入される。
【０１０９】
これらのパラメータが適切に選択されたとき、表面に近づく部分、特に工作物の微細表面構造のピークが、食塩水でエッチング除去される。改良のため、電極２５をパルス式に半径方向と軸方向に移動させて、食塩水又は酸による抽出を最適化することができる。
【０１１０】
原理的には、工作物を回転軸２のまわりに回転させることができる。
【０１１１】
しかしながら、図示した事例のように、複数の小さい微小突起２６が、電極表面２５の接触面に提供され、微小突起２６が、工作物の表面に後で油溜めとして使用されるそれぞれの微小空洞を作成するために使用されるときは、工作物は、必ず静止状態のまま機械加工されなければならない。
【０１１２】
他の状況では、そのような微小空洞（典型的には深さがわずか数μｍ）は、レーザ衝撃によって作成されてもよい。
【０１１３】
したがって、図６は、規定切刃による様々なチップ除去機械加工法に一般的な様々な微細表面構造を有する。
【０１１４】
長手方向旋削は、粗さＲｚが３〜１０μｍの範囲のほぼ均一な鋸歯形状を生成する。
【０１１５】
タンジェンシャル旋削後の表面構造は、長手方向旋削の周期よりも構造を不均一にし、ピークと谷との距離がＲｚの約１．５〜５μｍと小さくなる。
【０１１６】
しかしながら、外回しフライス削りの場合、典型的には、表面構造は、工作物に次々とかかる個別フライス削り歯の衝撃による様々なレベルの微視的な部分と、これにより形成された工作物上の微小面を含む。
【０１１７】
図６の下側部分は、軸受にほぼ望ましい、ピークを除去した後の拡大微小構造と望ましい５０％支持部分とを示す。
【０１１８】
したがって、また、特に仕上げの際に、ピークの除去が増え、支持部分が増え、ツールによって機械加工される面積が次第に大きくなり、したがって半径方向の除去が次第に遅くなることが明らかになる。
【０１１９】
図５は、例えば基準形状が正確に円形状のクランクシャフトの軸受の断面図をＺ軸方向から示す。しかしながら、実際には、特定の干渉パラメータのインパクトにより、少なくとも規定切刃によるチップ除去機械加工後に非円形形状が作成される。
【０１２０】
したがって、真円度を決定するために、内側包絡円Ｋｉと外側包絡円Ｋａが、実形状に適用され、２つの包絡円の距離が真円度を定義する。
【０１２１】
更に、それぞれの軸受の実中心は、公称中心と正確に一致しないことがあり、これは、特にリフト軸受ピンに当てはまり、同心度に悪影響を与える。
【０１２２】
更に、仕上げ後の基準形状が定義され、これにより、規定切刃による削り取り後に半径方向に基準形状内の最終形状が完成する。
【符号の説明】
【０１２３】
１  クランクシャフト
１’  工作物
２  回転軸
３  ピニオン
４  フランジ
５  エンドミル
５’  回転軸
６  掴み具
７，７’  切刃
８  円盤カッター
８’  回転軸
９  研磨ディスク
９’  回転軸
１０  旋削ツール
１１  マシンベッド
１２  主軸台
１３  締付けチャック
１４  反対主軸台
１５  長手方向ガイド
１６  Ｚスライド
１７  Ｘスライド
１８  ツールリボルバ
１９  仕上げツール
２０  仕上げ形成部品
２１  仕上げバンド
２２  測定ユニット
２２ａ  測定プローブ
２３  切削板
２４  接線移動方向
２５  ＥＣＭ電極
２６  突起
２７  タンジェンシャルツール
【図１ａ】
2014530115.tif 000003
【図１ｂ】
2014530115.tif 000004
【図２ａ】
2014530115.tif 000005
【図２ｂ】
2014530115.tif 000006
【図３】
2014530115.tif 000007
【図４ａ】
2014530115.tif 000008
【図４ｂ】
2014530115.tif 000009
【図４ｃ】
2014530115.tif 000010
【図５】
2014530115.tif 000011
【図６】
2014530115.tif 000012
【国際調査報告】
2014530115.tif 000013
2014530115.tif 000014
2014530115.tif 000015
2014530115.tif 000016
2014530115.tif 000017
2014530115.tif 000018